(57)【特許請求の範囲】
【請求項１】
少なくとも１次受信機チェーンとダイバーシティ受信機チェーンとを備える受信機を有するワイヤレス通信デバイスにおいて干渉消去（ＩＣ）を実行する方法であって、前記方法は、
前記受信機上で送信信号の干渉レベルを決定することと、
前記干渉レベルが所定の範囲内にあるかどうかを決定することと、
前記干渉レベルが所定の範囲内にある場合、第１の動作モードを選択することと、
前記干渉レベルが前記所定の範囲内にない場合、第２の動作モードを選択することと
を備え、
ここにおいて、前記第１のモードが、
前記１次受信機チェーンにおいて、前記送信信号に対応する第１の信号を受信することと、
前記干渉レベルが前記所定の範囲内にあると決定することに応答して、前記ダイバーシティ受信機チェーンによって、ＩＣ回路に前記送信信号に対応する第２の信号を提供することと、
前記ＩＣ回路において、前記第２の信号に基づいて出力信号を生成することと、
前記出力信号と前記第１の信号とに基づいて消去信号を生成することと
を備え、
ここにおいて、前記第２のモードが、
前記１次受信機チェーンにおいて、前記送信信号に対応する第１の信号を受信することと、
前記１次受信機チェーンを介して前記第１の信号を処理することと、
前記ダイバーシティ受信機チェーンにおいて、前記送信信号に対応する第２の信号を受信することと、
前記ダイバーシティ受信機チェーンを介して前記第２の信号を処理することと
を備える、方法。
【請求項２】
消去信号が前記第２のモードにおいて生成されない、請求項１に記載の方法。
【請求項３】
前記送信信号が前記ワイヤレス通信デバイスの送信機とは異なるワイヤレス通信デバイスの送信機から送信される、請求項１に記載の方法。
【請求項４】
前記干渉レベルが、信号対干渉（ＳＩＲ）レベルおよび干渉対雑音（ＩＮＲ）レベルのうちの少なくとも１つを備える、請求項１に記載の方法。
【請求項５】
前記方法が、
少なくとも１つの送信機と少なくとも１つの受信機との間の既知の共存問題を備えるデータベースに基づいて、前記送信信号を送信する送信機と前記受信機との間の共存問題を検出することをさらに備える、請求項１に記載の方法。
【請求項６】
第１の共存問題が第１の所定の範囲に対応し、
第２の共存問題が第２の所定の範囲に対応する、請求項５に記載の方法。
【請求項７】
前記所定の範囲が前記共存問題に基づく、請求項５に記載の方法。
【請求項８】
共存問題を前記検出することが、前記干渉レベルをあらかじめ定義されたテーブルと比較することを備える、請求項５に記載の方法。
【請求項９】
前記受信機上で送信信号の干渉レベルを決定することは、前記共存問題が検出されない場合実行されず、
前記干渉レベルが所定の範囲内にあるかどうかを決定することは、前記共存問題が検出されない場合実行されず、
前記干渉レベルが所定の範囲内にある場合、第１の動作モードを選択することは、前記共存問題が検出されない場合実行されず、
前記干渉レベルが前記所定の範囲内にない場合、第２の動作モードを選択することは、前記共存問題が検出されない場合実行されない、請求項５に記載の方法。
【請求項１０】
前記ＩＣ回路が適応フィルタを備え、前記適応フィルタが最小２乗平均（ＬＭＳ）適応フィルタを備え、前記ＬＭＳ適応フィルタが、アナログ制御アナログＬＭＳ適応フィルタおよびデジタル制御アナログＬＭＳ適応フィルタのうちの少なくとも１つを備える、請求項１に記載の方法。
【請求項１１】
前記１次受信機チェーンが１次フィルタを備え、前記ダイバーシティ受信機チェーンがダイバーシティフィルタを備え、前記１次フィルタと前記ダイバーシティフィルタとが同等のフィルタ処理特性を有し、前記１次フィルタおよび前記ダイバーシティフィルタの各々が、帯域フィルタ、デュプレクサ、およびノッチフィルタのうちの少なくとも１つを備える、請求項１に記載の方法。
【請求項１２】
各々の干渉レベルに基づいて前記１次受信機チェーンおよび前記ダイバーシティ受信機チェーンのうちの１つを選択すること
をさらに備え、前記１次受信機チェーン上の前記干渉レベルが前記ダイバーシティ受信機チェーン上の前記干渉レベルよりも大きい場合、前記１次受信機チェーンが選択される、または、前記ダイバーシティ受信機チェーン上の前記干渉レベルが前記１次受信機チェーン上の前記干渉レベルよりも大きい場合、前記ダイバーシティ受信機チェーンが選択される、請求項１に記載の方法。
【請求項１３】
前記第１の動作モードおよび第２の動作モードの各々が、前記１次受信機チェーンおよび前記ダイバーシティ受信機チェーンのための動作モードである、請求項１に記載の方法。
【請求項１４】
前記第２の信号の信号経路は、前記干渉レベルが前記所定の範囲内にあると決定することに応答して、前記ＩＣ回路に切り替えられ、前記第２の信号経路が、スイッチを用いて前記ＩＣ回路に切り替えられる、請求項１に記載の方法。
【請求項１５】
少なくとも１次受信機チェーンとダイバーシティ受信機チェーンとを備える受信機を有するワイヤレス通信デバイスにおいて干渉消去（ＩＣ）を実行するための装置であって、前記装置が、
前記受信機上で送信信号の干渉レベルを決定するように構成されたプロセッサと、前記プロセッサは、前記干渉レベルが所定の範囲内にあるかどうかを決定するように構成され、前記プロセッサは、前記干渉レベルが前記所定の範囲内にある場合、第１の動作モードを選択するように構成され、前記プロセッサは、前記干渉レベルが前記所定の範囲内にない場合、第２の動作モードを選択するように構成される、
ＩＣ回路と、ここにおいて、前記第１の動作モードにおいて、
前記ＩＣ回路が、前記ダイバーシティ受信機チェーンにおいて受信された第２の信号に基づいて前記装置の加算器への出力信号を生成するように構成され、前記第２の信号が前記送信信号に対応し、
前記加算器が、前記出力信号と前記１次受信機チェーンにおいて受信された第１の信号とに基づいて消去信号を生成するように構成され、前記第１の信号が前記送信信号に対応し、前記プロセッサはさらに、前記干渉レベルが前記所定の範囲内にあると決定することに応答して、前記ＩＣ回路に前記第２の信号を提供するように構成される、
を備える、装置。
【発明の詳細な説明】
【技術分野】
【０００１】
関連出願の相互参照
[0001]  本出願は、本出願の譲受人に譲渡され、参照により本明細書に明確に組み込まれる、２０１４年１月１０日に出願された「OPPORTUNISTIC ACTIVE INTERFERENCE CANCELLATION USING RX DIVERSITY ANTENNA」と題する米国特許出願第１４／１５２，５８６号の利益を主張する。
【０００２】
[0002]  本開示は、一般に、干渉消去システム（interference cancellation system）および方法の分野に関し、より詳細には、ダイバーシティ受信機チェーン（diversity receiver chain）を使用して干渉を選択的に消去するためのシステムおよび方法に関する。
【背景技術】
【０００３】
[0003]  高度ワイヤレスデバイスは、同じ、隣接する、または高調波／分数調波（harmonic/sub-harmonic）周波数上で動作する複数の無線機（たとえば、ＷＷＡＮ、ＷＬＡＮ、ＷＰＡＮ、ＧＰＳ／ＧＬＯＮＡＳＳなど）を有する。無線機の様々な組合せは相対周波数による共存問題（co-existence issue）を引き起こす。特に、ある無線機が、別の無線機が受信している同じ周波数でまたはその近くで、同じ時間に、アクティブに送信しているとき、送信無線機は受信無線機への干渉を引き起こすことがある。たとえば、Ｂｌｕｅｔｏｏｔｈ（登録商標）（ＷＰＡＮ）と２．４ＧＨｚ  ＷｉＦｉ（登録商標）（ＷＬＡＮ）との間で同帯域干渉が発生し得、ＷＬＡＮとＬＴＥ（登録商標）帯域７、４０、４１との間で隣接帯域干渉が発生し得、５．７ＧＨｚ  ＩＳＭと１．９ＧＨｚ  ＰＣＳとの間で高調波／分数調波干渉が発生し得、７ｘｘ  ＭＨｚとＧＰＳ受信機との間で相互変調問題（intermodulation issue）が発生し得る）。
【０００４】
[0004]  デバイス内無線機とデバイス間無線機の両方からの増加する干渉レベル（interference level）により、干渉消去要件が増加する。これは、受信機性能の激しい劣化を生じることがある。時間、周波数、空間、ソフトウェア、または電力領域における多くの提案された干渉緩和技法がある。しかしながら、これらの技法の大部分は、同時送受信を完全には可能にしない干渉回避／協調に関する。これはスペクトル効率の劣化を生じる。
【０００５】
[0005]  アクティブ干渉消去（ＡＩＣ：active interference cancellation）は、ワイヤレス結合経路信号（ｈｃ）の利得および位相を整合させることによって、およびワイヤードＡＩＣ経路において、送信機無線機と受信機無線機との間の干渉を消去する。
【０００６】
[0006]  ＡＩＣは、ＲＦ（無線周波数）、ＢＢ（ベースバンド）、またはＲＦとＢＢの両方において行われ得る。ＢＢにおけるＡＩＣは、結合経路信号が所望の信号強度よりもはるかに強く（すなわち、干渉レベルが所望の信号レベルよりもはるかに高く）、ＬＮＡ（低雑音増幅器）およびＡＤＣ（アナログデジタル変換器）など、ＲＦ構成要素の飽和状態を容易に生じ、ＢＢ技法の適用可能性を限定するので、限られた消去性能（cancellation performance）のみを示す。
【０００７】
[0007]  ＲＦにおけるＡＩＣはより良い消去性能を与える。従来技術のＲＦ  ＡＩＣ技法では、送信信号は、結合デバイスを使用して結合され、次いで、利得を受信機から受信された信号に等しく調整した後に受信機において減算される。この手法はいくつかの制限を有する。第１に、ＡＩＣ経路と結合経路との間の群遅延（group delay）を整合させることが難しい。第２に、送信機雑音が受信機帯域に入り、ＬＮＡの後に雑音指数の著しい増加を生じ得る。第３に、ＡＩＣは、干渉の強度にかかわらずオフにされ得ない。第４に、ＡＩＣ経路に基準信号を与えるために、送信経路において小さいが無視できないカプラ（coupler）が必要とされる。
【発明の概要】
【０００８】
[0008]  少なくとも１次受信機チェーン（primary receiver chain）とダイバーシティ受信機チェーンとを備える受信機を有するワイヤレス通信デバイスにおいて（アクティブ干渉消去（ＡＩＣ）などの）干渉消去（ＩＣ：interference cancellation）を実行する方法は、（限定はしないが）受信機上で送信信号の干渉レベルを決定することと、干渉レベルが所定の範囲内にあるかどうかを決定することと、干渉レベルが所定の範囲内にある場合、第１の動作モード（first mode of operation）を選択することと、干渉レベルが所定の範囲内にない場合、第２の動作モード（second mode of operation）を選択することとを含む。
【０００９】
[0009]  第１のモードは、１次受信機チェーンにおいて、送信信号に対応する第１の信号を受信することと、ダイバーシティ受信機チェーンにおいて、ＩＣ回路に与えるための送信信号に対応する第２の信号を受信することと、ＩＣ回路において、第２の信号に基づいて出力信号を生成することと、出力信号と第１の信号とに基づいて消去信号（cancellation signal）を生成することとを含む。第２のモードは、１次受信機チェーンにおいて、送信信号に対応する第１の信号を受信することと、１次受信機チェーンを介して第１の信号を処理することと、ダイバーシティ受信機チェーンにおいて、送信信号に対応する第２の信号を受信することと、ダイバーシティ受信機チェーンを介して第２の信号を処理することとを含む。
【００１０】
[0010]  少なくとも１次受信機チェーンとダイバーシティ受信機チェーンとを備える受信機を有するワイヤレス通信デバイスにおいて干渉消去（ＩＣ：interference cancellation）を実行するための装置は、プロセッサとＩＣ回路とを含む。プロセッサは、受信機上で送信信号の干渉レベルを決定するように構成される。プロセッサは、干渉レベルが所定の範囲内にあるかどうかを決定するように構成される。プロセッサは、干渉レベルが所定の範囲内にある場合、第１の動作モードを選択するように構成される。プロセッサは、干渉レベルが所定の範囲内にない場合、第２の動作モードを選択するように構成される。動作の第１のモードでは、ＩＣ回路は、ダイバーシティ受信機チェーンにおいて受信された第２の信号に基づいて出力信号を生成するように構成され、第２の信号は送信信号に対応し、ＩＣは、出力信号と１次受信機チェーンにおいて受信された第１の信号とに基づいて消去信号を生成するように構成され、第１の信号は送信信号に対応する。
【００１１】
[0011]  少なくとも１次受信機チェーンとダイバーシティ受信機チェーンとを備える受信機を有するワイヤレス通信デバイスにおいて干渉消去（ＩＣ）を実行する方法は、限定はしないが、受信機上で送信信号の干渉レベルを決定することと、干渉レベルが所定の範囲内にあるかどうかを決定することと、各々の干渉レベルに基づいて１次受信機チェーンおよびダイバーシティ受信機チェーンのうちの１つを選択することと、干渉レベルが所定の範囲内にある場合、第１の動作モードを選択することと、干渉レベルが所定の範囲内にない場合、第２の動作モードを選択することとのいずれか１つまたは組合せを含む。第１のモードは、選択された受信機チェーンにおいて、送信信号に対応する第１の信号を受信することと、他の受信機チェーンにおいて、ＩＣ回路に与えるための送信信号に対応する第２の信号を受信することと、ＩＣ回路において、第２の信号に基づいて出力信号を生成することと、出力信号と第１の信号とに基づいて消去信号を生成することとを含む。第２のモードは、選択された受信機チェーンにおいて、送信信号に対応する第１の信号を受信することと、選択された受信機チェーンを介して第１の信号を処理することと、他の受信機チェーンにおいて、送信信号に対応する第２の信号を受信することと、他の受信機チェーンを介して第２の信号を処理することとを含む。
【図面の簡単な説明】
【００１２】
【図１】[0012]  本開示の様々な実施形態によるデバイスを含む環境を示すブロック図。
【図２】[0013]  本開示の様々な実施形態による処理システムを採用する装置のための例示的なハードウェア構成のブロック図。
【図３Ａ】[0014]  本開示の様々な実施形態による通信システムの図。
【図３Ｂ】本開示の様々な実施形態による通信システムの図。
【図３Ｃ】[0015]  本開示の様々な実施形態による通信システムの図。
【図４Ａ】[0016]  本開示の様々な実施形態による方法のフローチャート。
【図４Ｂ】[0017]  本開示の様々な実施形態による装置の図。
【図５】[0018]  アクティブ干渉消去システムのブロック図。
【発明を実施するための形態】
【００１３】
[0019]  少なくとも１次受信機チェーンとダイバーシティ受信機チェーンとを備える受信機を有するワイヤレス通信デバイスにおいて、ダイバーシティ受信機チェーンは、干渉レベル（たとえば、信号対干渉（ＳＩＲ：signal-to-interference）および／または干渉対雑音（ＩＮＲ：interference-to-noise）レベル）が所定の範囲内にあるかどうかに基づいて、干渉消去経路またはダイバーシティ経路のいずれかとして選択的に使用され得る。特に、システムは、デフォルトでダイバーシティ受信機チェーンをダイバーシティ経路として使用し得（第２のモード）、所定の範囲内の干渉が検出されたとき（たとえば、測定されたＳＩＲが可能なダイバーシティ経路利得プラス何らかのオフセットよりも低い場合）、システムは、干渉消去を実行するためにダイバーシティ受信機チェーンを干渉消去（ＩＣ：interference cancellation）経路に切り替え得る。
【００１４】
[0020]  たとえば、干渉消去を実行する方法は、受信機上で送信信号の干渉レベルを決定することと、干渉レベルが所定の範囲内にあるかどうかを決定することと、干渉レベルが所定の範囲内にある場合、第１の動作モードを選択することと、干渉レベルが所定の範囲内にない場合、第２の動作モードを選択することとを含み得る。第１のモードは、１次受信機チェーンにおいて、送信信号に対応する第１の信号を受信することと、（たとえば、ダイバーシティ受信機チェーンをＩＣ経路として選択することによって）ダイバーシティ受信機チェーンにおいて、ＩＣ回路に与えるための送信信号に対応する第２の信号を受信することと、ＩＣ回路において、第２の信号に基づいて出力信号を生成することと、出力信号と第１の信号とに基づいて消去信号を生成することとを含み得る。第２のモードは、１次受信機チェーンにおいて、送信信号に対応する第１の信号を受信することと、（たとえば、ダイバーシティ受信機チェーンをダイバーシティ経路として選択することによって）ダイバーシティ受信機チェーンにおいて、送信信号に対応する第２の信号を受信することとを含み得る。
【００１５】
[0021]  図１は、デバイス１０２を含む環境１００を示すブロック図である。環境１００は、少なくとも１つのワイヤレスシステム１０４との間でワイヤレス信号を送信および／または受信することが可能な少なくとも１つのデバイス１０２を含み得る任意の（１つまたは複数の）システムあるいはそれの一部分を表し得る。デバイス１０２は、たとえば、モバイルデバイス、または移動可能であるが主に静止したままであるように意図されたデバイスを含み得る。デバイス１０２は、ワイヤレス信号を送信および／または受信することが可能な固定デバイス（たとえば、デスクトップコンピュータ）をも含み得る。したがって、本明細書で使用する「デバイス」および「モバイルデバイス」という用語は、各用語がワイヤレス信号を送信および／または受信し得る任意の単一のデバイス、または任意の組合せ可能なデバイスのグループを指すように意図されているので、互換的に使用され得る。
【００１６】
[0022]  様々な実施形態では、デバイス１０２は、セルラーフォン、スマートフォン、携帯情報端末、ポータブルコンピューティングデバイス、ナビゲーションデバイス、タブレットなど、またはそれらの任意の組合せなどのモバイルデバイスを含み得る。他の実施形態では、デバイス１０２は、移動または固定である機械の形態をとり得る。また他の実施形態では、デバイス１０２は、別のデバイス中で使用することが実効的に可能であり得る１つまたは複数の集積回路、回路板などの形態をとり得る。
【００１７】
[0023]  デバイス１０２は（トランシーバとも呼ばれる）少なくとも１つの無線機を含み得る。本明細書で使用する「無線機」または「トランシーバ」という用語は、ワイヤレス信号を受信することおよび／またはワイヤレス信号を送信することが可能であり得る任意の回路などを指す。特定の実施形態では、２つまたはそれ以上の無線機が、回路など（たとえば、処理ユニット、メモリなど）の一部分を共有することが可能であり得る。すなわち、「無線機」または「トランシーバ」という用語は、別個の送信機と受信機とを有するデバイス、信号を送信および受信するための複合回路を有するデバイスなどを含む、信号を送信する能力と信号を受信する能力の両方を有するデバイスを含むように解釈され得る。
【００１８】
[0024]  いくつかの実施形態では、デバイス１０２は、少なくともワイヤレスシステム１０４の第１のネットワークに関連するワイヤレス信号を受信および／または送信することが可能な第１の無線機と、少なくともワイヤレスシステム１０４の第２のネットワークおよび／または少なくとも１つのナビゲーションシステム１０６（たとえば、衛星測位システムなど）に関連するワイヤレス信号を受信および／または送信することが可能である第２の無線機とを含み得る。
【００１９】
[0025]  ワイヤレスシステム１０４は、たとえば、ワイヤレス信号を受信および／または送信することが可能であり得る任意のワイヤレス通信システムまたはネットワークを表し得る。限定ではなく例として、ワイヤレスシステム１０４は、ワイヤレスワイドエリアネットワーク（ＷＷＡＮ）、ワイヤレスローカルエリアネットワーク（ＷＬＡＮ）、ワイヤレスパーソナルエリアネットワーク（ＷＰＡＮ）、ワイヤレスメトロポリタンエリアネットワーク（ＷＭＡＮ）、Ｂｌｕｅｔｏｏｔｈ通信システム、ＷｉＦｉ通信システム、モバイル通信用グローバルシステム（ＧＳＭ（登録商標））システム、エボリューションデータオンリー／エボリューションデータオプティマイズド（ＥＶＤＯ）通信システム、ウルトラモバイルブロードバンド（ＵＭＢ）通信システム、ロングタームエボリューション（ＬＴＥ）通信システム、モバイル衛星サービス−補助地上波コンポーネント（ＭＳＳ−ＡＴＣ：Mobile Satellite Service- Ancillary Terrestrial Component）通信システムなどのうちの１つまたは複数を含み得る。
【００２０】
[0026]  ワイヤレスシステム１０４は、単にクラウド１１０によって表されている他のデバイスおよび／またはリソースと通信し、および／または他の方法で動作可能にアクセスすることが可能であり得る。たとえば、クラウド１１０は、１つまたは複数の通信デバイス、システム、ネットワーク、またはサービス、および／または１つまたは複数のコンピューティングデバイス、システム、ネットワーク、またはサービスなど、あるいはそれらの任意の組合せを含み得る。
【００２１】
[0027]  「ネットワーク」および「システム」という用語は、本明細書では互換的に使用されることがある。ＷＷＡＮは、符号分割多元接続（ＣＤＭＡ）ネットワーク、時分割多元接続（ＴＤＭＡ）ネットワーク、周波数分割多元接続（ＦＤＭＡ）ネットワーク、直交周波数分割多元接続（ＯＦＤＭＡ）ネットワーク、シングルキャリア周波数分割多元接続（ＳＣ−ＦＤＭＡ）ネットワークなどであり得る。ＣＤＭＡネットワークは、ほんのいくつかの無線技術を挙げれば、ｃｄｍａ２０００、広帯域ＣＤＭＡ（Ｗ−ＣＤＭＡ（登録商標））などの１つまたは複数の無線アクセス技術（ＲＡＴ：radio access technology）を実装し得る。ここで、ｃｄｍａ２０００は、ＩＳ−９５規格、ＩＳ−２０００規格、およびＩＳ−Ｓ５６規格に従って実装される技術を含み得る。ＴＤＭＡネットワークは、モバイル通信用グローバルシステム（ＧＳＭ）、デジタルアドバンストモバイルフォンシステム（Ｄ−ＡＭＰＳ）、または何らかの他のＲＡＴを実装し得る。ＧＳＭおよびＷ−ＣＤＭＡは、「第３世代パートナーシッププロジェクト」（３ＧＰＰ（登録商標）：3rd Generation Partnership Project）と称する団体からの文書に記載されている。ｃｄｍａ２０００は、「第３世代パートナーシッププロジェクト２」（３ＧＰＰ２：3rd Generation Partnership Project 2）と称する団体からの文書に記載されている。３ＧＰＰおよび３ＧＰＰ２の文書は公開されている。ＷＬＡＮはＩＥＥＥ８０２．１１ｘネットワークを含み得、ＷＰＡＮは、（限定はしないが）たとえば、Ｂｌｕｅｔｏｏｔｈネットワーク、ＩＥＥＥ８０２．１５ｘを含み得る。
【００２２】
[0028]  図２は、（限定はしないが）図１および図３〜図４Ｂの実施形態を含む、本開示の様々な実施形態による処理システム２０１を採用する、デバイス１０２など、装置のための例示的なハードウェア構成のブロック図である。この例では、処理システム２０１は、バス２０２によって概略的に表されるバスアーキテクチャを用いて実装され得る。バス２０２は、処理システム２０１の特定の適用例および全体的な設計制約に応じて、任意の数の相互接続バスおよびブリッジを含み得る。バス２０２は、プロセッサ２０４によって概略的に表される１つまたは複数のプロセッサと、コンピュータ可読媒体２０６によって概略的に表されるコンピュータ可読媒体とを含む様々な回路を互いにリンクする。バス２０２はまた、タイミングソース、周辺機器、電圧調整器、および電力管理回路など、様々な他の回路をリンクし得るが、これらの回路は当技術分野においてよく知られており、したがって、これ以上説明しない。バスインターフェース２０８は、バス２０２と複数の（無線機とも呼ばれる）トランシーバ２１０との間のインターフェースを提供する。トランシーバ２１０の各々は、伝送媒体を介して様々な他の装置と通信することを可能にする。
【００２３】
[0029]  プロセッサ２０４は、バス２０２を管理することと、コンピュータ可読記憶媒体２０６に記憶されたソフトウェアの実行を含む一般的な処理とを担当する。ソフトウェアは、プロセッサ２０４によって実行されたとき、処理システム２０１に、特定の装置のための本開示で説明する様々な機能を実行させる。コンピュータ可読記憶媒体２０６はまた、ソフトウェアを実行するときにプロセッサ２０４によって操作されるデータを記憶するために使用され得る。
【００２４】
[0030]  様々な実施形態では、処理システム２０１は、（アクティブ干渉消去（ＡＩＣ）回路とも呼ばれる）干渉消去（ＩＣ：interference cancellation）回路２２０とコントローラ２３０とを含む。ＩＣ回路２２０は、同じ、隣接する、または高調波／分数調波周波数上で動作しているトランシーバ２１０によって引き起こされる干渉を消去するように構成される。コントローラ２３０は、マイクロコントローラ、マイクロプロセッサ、コンピュータ、状態機械、または他のプログラマブルデバイスであり得る。コントローラ２３０はＩＣ回路２２０に結合される。コントローラ２３０は、ＩＣ回路２２０による干渉の低減を最適化するための、１つまたは複数のアルゴリズムを実行し、および／または（たとえば、コンピュータ可読記憶媒体２０６に記憶された）制御論理を含む。特に、コントローラ２３０は、出力を生成するために、入力信号の振幅、位相、および／または遅延を調整するためにＩＣ回路２２０の設定を調整する。いくつかの実施形態では、コントローラはプロセッサ２０４であり得る。処理システム２０１は、１次受信機（たとえば、１次受信機チェーン３２０の一部分）とダイバーシティ受信機（たとえば、ダイバーシティ受信機チェーンの一部分）とを有する受信機３０５を含み得る。
【００２５】
[0031]  図３Ａ〜図３Ｂは、デバイス１０２（たとえば、図１〜図２）および／または処理システム２０１とともに採用される通信システム３００の機能ブロック図であり、そのような特徴および方法を実装し得る。通信システム３００は、１次受信機チェーン３２０とダイバーシティ受信機チェーン３４０とを含む受信機３０５を含み得る。
【００２６】
[0032]  通信システム３００は干渉消去（ＩＣ：interference cancellation）回路３６０をも含む。したがって、通信システム３００は、少なくとも第１のモード（たとえば、図３Ａ）および第２のモード（たとえば、図３Ｂ）において選択的に動作するように構成される。特に、ダイバーシティ受信機チェーン３４０は、ＩＣ経路またはダイバーシティ経路において選択的に使用され得る。第１の動作モードでは、ダイバーシティ受信機チェーン３４０は、ＩＣ回路３６０が干渉消去を実行することを可能にするために、ＩＣ経路に切り替えられる。第２の動作モードでは、ダイバーシティチェーン３４０はダイバーシティ経路として使用される。したがって、第２の動作モードでは、ＩＣ回路３６０を介した干渉消去は実行されない。
【００２７】
[0033]  送信機３１０はアンテナ３１４に電気的に結合される。送信機３１０は、（結合チャネルとも呼ばれる）送信信号３１５、３１５’を与えるために、送信経路３１３に沿ってアンテナ３１４に通信信号を送信する。いくつかの実施形態では、送信機３１０によって送信される信号を増幅するための電力増幅器（ＰＡ）３１２も与えられ得る。いくつかの実施形態では、送信機３１０は、通信システム３００と同じデバイス（たとえば、同じモバイルデバイス）に属する。他の実施形態では、送信機３１０は、通信システム３００とは異なるデバイス（たとえば、異なるモバイルデバイス）の一部である。したがって、デバイス内自己干渉にのみ適用可能である従来のＩＣ技法とは異なり、そのような実施形態は、同じまたは異なるデバイスのいずれにおいても送信機からの干渉を消去することを可能にする。
【００２８】
[0034]  １次受信機チェーン３２０は、１次フィルタ３２４に与えられ得る第１の信号３１５を受信するための１次受信機アンテナ３２２を含み得る。１次フィルタ３２４からのフィルタ処理された信号３２５は加算器３２６に与えられ得る。ダイバーシティ受信機チェーン３４０は、ダイバーシティフィルタ３４４に与えられ得る第２の信号３４３を受信するためのダイバーシティ受信機アンテナ３４２を含み得る。１次フィルタ３２４およびダイバーシティフィルタ３４４のうちの１つまたは複数は、帯域フィルタ（ＢＰＦ：band pass filter）、デュプレクサ（duplexer）、ノッチフィルタ（notch filter）などであり得る。特定の実施形態では、１次フィルタ３２４とダイバーシティフィルタ３４４とは、群遅延（group delay）を最小限に抑えるために同等のフィルタ（たとえば、同様のフィルタ処理特性）である。
【００２９】
[0035]  図４Ａに、本開示の様々な実施形態による、たとえば、そのような干渉の低減または消去のための、干渉管理の方法Ｂ４００を示す。図１〜図４Ａに関して、方法Ｂ４００は、たとえば、通信システム３００など（たとえば、ＩＣ回路２２０、コントローラ２３０など）によって実行され得る。
【００３０】
[0036]  様々な実施形態では、ブロックＢ４１０において、送信信号（たとえば、３１５）の干渉レベルを決定する。干渉レベルは、信号対干渉（ＳＩＲ：signal-to-interference）レベル、干渉対雑音（ＩＮＲ）レベルなどに対応し得る（ただし、それに限定されない）。干渉レベルは、所望の信号が送信されていないとき、受信機帯域の受信信号強度指示（ＲＳＳＩ：received signal strength indication）を測定することによって測定され得る。所望の信号が送信されているとき、送信機のＰＡ（たとえば、３１２）出力電力が、干渉レベルを推定するために使用され得る。たとえば、受信機帯域が送信機帯域と異なる場合、干渉レベルは、アンテナ結合損失を引き、フィルタまたは高調波損失を引いた送信機のＰＡ出力電力である。特定の実施形態では、受信機によって、トランシーバ（たとえば、受信機）上の、干渉の強度または大きさ（レベル）など、干渉、または低減された受信信号など（たとえば、低減された受信レート、増加した雑音など）、干渉の徴候（たとえば、非感知（de-sense）レベル）を感知、測定、または他の方法で検出するためのセンサーが与えられ得る。いくつかの実施形態では、（たとえば、送信機による）送信情報が、感知、測定、または他の方法で検出され得る。特定の実施形態では、干渉レベル（たとえば、非感知レベル）は、（ｉ）送信機（たとえば、３１０）の送信チャネルと受信機の受信チャネルとの間の周波数分離と、（ｉｉ）送信機の通過電力とに基づく。
【００３１】
[0037]  特定の実施形態では、送信信号の干渉レベルは、（たとえば、コントローラ２３０または他の構成要素によって）受信機３０５（たとえば、１次受信機チェーン３２０またはダイバーシティ受信機チェーン３４０）と送信機（たとえば、３１０）との間の共存問題を検出したことに応答して決定される。コントローラ２３０は、たとえば、少なくとも送信機（アグレッサ送信機（aggressor transmitter））と受信機３０５（ビクティム受信機（victim receiver））とが同時にアクティブである（たとえば、送信／受信している）とき、共存問題を検出し得る。特定の実施形態では、送信機および受信機３０５が（たとえば、あらかじめ定義されたルックアップテーブルまたはデータベース中で与えられる）共存問題の候補であるとき、共存問題が検出され得る。たとえば、共存問題は、送信機３１０と受信機３０５との間で検出され得る。いくつかの実施形態では、候補は、共存問題を引き起こす既知のトランシーバ組合せのルックアップテーブルまたは他のデータベース中で与えられ得る。したがって、テーブルまたはデータベース中に出現するアクティブトランシーバの組合せが検出されたとき、共存問題が検出され得る。他の実施形態では、干渉または干渉の他の徴候が検出されたとき、共存問題が検出され得る。
【００３２】
[0038]  いくつかの実施形態では、検出された共存問題のパラメータも、たとえば、コントローラ２３０によって決定され得る。たとえば、コントローラ２３０は、アグレッサ送信機の結合チャネル利得、周波数（たとえば、ｆ１）、遅延（たとえば、ｄ１）など、パラメータを決定し得る。
【００３３】
[0039]  ブロックＢ４２０において、方法Ｂ４００は、干渉レベルが所定の範囲内にあるかどうかを決定することを含む。たとえば、干渉レベルが受信機感度よりも４０ｄＢ高い場合、受信機は、干渉が所定の範囲内にあると決定し得る。範囲は、消去の後の受信機のダイナミックレンジ内にある。たとえば、受信機感度が−１００ｄＢｍであり、受信機ダイナミックレンジが６０ｄＢである場合、所定の範囲は（システムが２０ｄＢの消去を行うと仮定すると）−８０ｄＢｍから−２０ｄＢｍまでである。様々な実施形態では、干渉レベルのための所定の範囲は共存問題に基づく。たとえば、第１の送信機（たとえば、３１０）と受信機３０５との間にある第１の共存問題の場合、第１の所定の範囲が使用される。第２の送信機（図示せず）と受信機３０５との間にある第２の共存問題の場合、（第１の所定の範囲とは異なり得る）第２の所定の範囲が使用される。
【００３４】
[0040]  ブロックＢ４３０において、干渉レベルが所定の範囲内にある場合、第１の動作モードを選択する。第１のモードでは、ブロックＢ４３２において、１次受信機チェーン３２０は、１次アンテナ３２２を介して、信号３１３に対応する第１の信号３１５を受信する。１次アンテナ３２２は、フィルタ処理された信号３２５を与えるために、対応する信号３２３を１次フィルタ３２４に与える。ブロックＢ４３４において、ダイバーシティ受信機チェーン３４０は、ダイバーシティアンテナ３４２を介して、信号３１３に対応する第２の信号３１５’を受信する。ダイバーシティアンテナ３４２は、フィルタ処理された信号３４５を与えるために、対応する信号３４３をダイバーシティフィルタ３４４に与える。
【００３５】
[0041]  ブロックＢ４３６において、ＩＣ回路３６０は、第２の信号３１５’に基づいて出力信号（補償信号（compensation signal））を生成する。たとえば、ダイバーシティチェーン３４０中のフィルタ処理された信号３４５がＩＣ経路３５１に切り替えられ得る。たとえば、フィルタ処理された信号３４５をＩＣ経路ノード３４６ａに与えるために、スイッチ３４６が作動され得る。したがって、フィルタ処理された信号３４５はＩＣ回路３６０に与えられる。他の実施形態では、信号は、たとえば、送信機３１０のＰＡ３１２の後のカプラ３１１を介してＩＣ経路３５１に与えられ得る（たとえば、図３Ｃを参照されたい）。
【００３６】
[0042]  ＩＣ回路３６０は、出力信号３６７を生成するために、サンプル信号（フィルタ処理された信号３４５）の振幅、位相、および／または遅延を調整するように構成され、出力信号３６７は、（消去信号３２７を与えるために）加算器３２６において１次受信機チェーン３２０のフィルタ処理された信号３２５と組み合わせられたとき、１次受信機チェーン３２０上に導入された帯域内および／または近くの帯域外干渉および／または雑音の振幅を低減、抑圧、または消去する（ブロック４３８）。特に、消去信号３２７は低雑音増幅器（ＬＮＡ）３２８に与えられ得る。適応フィルタ（adaptive filter）３６５は、ＩＣ回路３６０を調整するためのパラメータ（係数（coefficient））を与えるために、ＬＮＡ３２８から（信号３２９に対応する）サンプル３６６を受信し得る。
【００３７】
[0043]  いくつかの実施形態では、ＩＣ回路３６０はシングルタップ最小２乗平均（ＬＭＳ：least mean square）適応フィルタ３６５を備える。ＬＭＳ適応フィルタ３６５は、入力信号（フィルタ処理された信号３４５）を受信し、出力信号３６７を生成し得る。他の実施形態では、任意の数のタップ（たとえば、３つのタップ）を有するＬＭＳフィルタが実装され得ることに留意されたい。いくつかの実施形態では、ＬＭＳ適応フィルタ３６５はアナログ方法を実装する。アナログ方法は、たとえば、広帯域干渉消去を可能にする。他の実施形態では、ＬＭＳ適応フィルタ３６５はデジタル方法を実装する。デジタル方法は、たとえば、メインローブ消去とサイドローブ消去との間の良好なトレードオフを与え得る。
【００３８】
[0044]  様々な実施形態によれば、基準（入力）信号（たとえば、第２の信号３１５’）がダイバーシティ受信機チェーン３４０を介してＩＣ回路３６０に適用されるので、送信機３１０からＩＣ回路３６０へのワイヤード基準信号の必要がない。したがって、そのような実施形態では、送信信号の劣化がない。その上、そのような実施形態では、送信経路（たとえば、３１３）上で方向性カプラが必要とされない。
【００３９】
[0045]  代替的に、ブロックＢ４４０において、干渉レベルが所定の範囲内にない場合、第２の動作モードを選択する。第２の動作モードでは、ＩＣは実行されず、ダイバーシティチェーン３４０はダイバーシティ処理のためのダイバーシティ経路として使用される。特に、第２のモードでは、ブロックＢ４４２において、１次受信機チェーン３２０は、１次アンテナ３２２を介して、信号３１３に対応する第１の信号３１５を受信する。１次アンテナ３２２は、フィルタ処理された信号３２５を与えるために、対応する信号３２３を１次フィルタ３２４に与える。したがって、ブロックＢ４４４において、１次受信機チェーン４２０は、（ＩＣ回路３６０を介してＩＣ技法を適用することなしに）フィルタ処理された信号４２５を処理する。
【００４０】
[0046]  ブロックＢ４４６において、ダイバーシティ受信機チェーン３４０は、ダイバーシティアンテナ３４２を介して、信号３１３に対応する第２の信号３１５’を受信する。ダイバーシティアンテナ３４２は、フィルタ処理された信号３４５を与えるために、対応する信号３４３をダイバーシティフィルタ３４４に与える。したがって、ブロックＢ４４８において、ダイバーシティ受信機チェーン４４０はフィルタ処理された信号４４５を処理する。たとえば、ダイバーシティチェーン３０５中のフィルタ処理された信号３４５がダイバーシティ経路３４７に切り替えられる。たとえば、フィルタ処理された信号３４５をダイバーシティ経路ノード３４６ｂに与えるために、スイッチ３４６が作動され得る。１次受信機チェーン３２０およびダイバーシティ受信機チェーン３４０において処理された信号はダイバーシティ管理などを可能にする。
【００４１】
[0047]  いくつかの実施形態では、処理システム２０１は、いくつかの状況では（たとえば、ＩＣ回路２２０および／またはコントローラ２３０を介して）特定の共存問題を選択的に無視するか、または場合によっては管理しないことがある。たとえば、処理システム２０１（たとえば、コントローラ２３０）が、特定の共存問題が異なる方法および／またはシステムによって管理されていると決定した場合、処理システム２０１は、特定の共存問題を選択的に無視するか、または場合によっては管理しないことがある。たとえば、共存問題がベースバンドＩＣ回路によって管理される場合、処理システム２０１は、アナログＩＣ回路を用いて問題を管理しないことがある。別の例として、処理システム２０１（たとえば、コントローラ２３０）が、特定の共存問題が指定されたしきい値（または範囲）を下回る（または、超える）と決定した場合、処理システム２０１は、特定の共存問題を選択的に無視するか、または場合によっては管理しないことがある。たとえば、特定の共存問題が軽い干渉（たとえば、数デシベル）を引き起こす場合、その問題は無視されることがある。すなわち、干渉の強度が所定のしきい値または範囲を下回る（または、超える）場合、共存問題は無視される（または場合によっては管理されない）ことがある。たとえば、干渉が受信機の感度レベルを１０ｄＢ未満上回る場合、共存問題は無視されることがある。
【００４２】
[0048]  いくつかの実施形態では、受信機チェーンは、干渉レベルに基づいて受信機チェーン３２０、３４０から選択され得る。たとえば、受信機チェーン３２０が受信機チェーン３４０のそれよりも高いＳＩＮＲを有する場合、受信機チェーン３２０は１次受信機チェーンとして選択され得、受信機チェーン３４０はダイバーシティ受信機チェーンとして選択され得る。したがって、そのような実施形態では、受信機チェーン３４０を介して受信された信号は、ＩＣ回路３６０に選択的に与えられ得る。
【００４３】
[0049]  上記で図４Ａにおいて説明した方法Ｂ４００は、図４Ｂに示されたミーンズプラスファンクションブロックＢ４００’に対応する様々なハードウェアおよび／またはソフトウェア構成要素（複数可）および／またはモジュール（複数可）によって実行され得る。言い換えれば、図４Ａに示されたブロックＢ４１０〜Ｂ４５８は、図４Ｂに示されたミーンズプラスファンクションブロックＢ４１０’〜Ｂ４５８’に対応する。
【００４４】
[0050]  開示したプロセスにおけるステップの特定の順序または階層は、例示的な手法の一例であることを理解されたい。設計選好に基づいて、プロセスにおけるステップの特定の順序または階層は本開示の範囲内のまま再構成され得ることを理解されたい。添付の方法クレームは、様々なステップの要素を例示的な順序で提示したものであり、提示された特定の順序または階層に限定されるものではない。
【００４５】
[0051]  情報および信号は多種多様な技術および技法のいずれかを使用して表され得ることを、当業者は理解されよう。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【００４６】
[0052]  さらに、本明細書で開示した実装形態に関して説明した様々な例示的な論理ブロック、モジュール、回路、およびアルゴリズムステップは、電子ハードウェア、有形媒体上で実施されるコンピュータソフトウェア、または両方の組合せとして実装され得ることを、当業者は諒解されよう。ハードウェアとソフトウェアのこの互換性を明確に示すために、様々な例示的な構成要素、ブロック、モジュール、回路、およびステップについて、概してそれらの機能に関して上記で説明した。そのような機能がハードウェアとして実装されるか、有形媒体上で実施されるソフトウェアとして実装されるかは、特定の適用例および全体的なシステムに課される設計制約に依存する。当業者は、説明した機能を特定の適用例ごとに様々な方法で実装し得るが、そのような実装の決定は、本開示の範囲からの逸脱を生じるものと解釈されるべきではない。
【００４７】
[0053]  本明細書で開示した実装形態に関して説明した様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタ論理、個別ハードウェア構成要素、あるいは本明細書で説明した機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、または状態機械であり得る。プロセッサはまた、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装され得る。
【００４８】
[0054]  本明細書で開示した実装形態に関して説明した方法またはアルゴリズムのステップは、直接ハードウェアで実施されるか、プロセッサによって実行されるソフトウェアモジュールで実施されるか、またはその２つの組合せで実施され得る。ソフトウェアモジュールは、ＲＡＭメモリ、フラッシュメモリ、ＲＯＭメモリ、ＥＰＲＯＭメモリ、ＥＥＰＲＯＭ（登録商標）メモリ、レジスタ、ハードディスク、リムーバブルディスク、ＣＤ−ＲＯＭ、または当技術分野で知られている任意の他の形態の記憶媒体中に常駐し得る。例示的な記憶媒体は、プロセッサが記憶媒体から情報を読み取り、記憶媒体に情報を書き込むことができるように、プロセッサに結合される。代替として、記憶媒体はプロセッサと一体であり得る。プロセッサおよび記憶媒体はＡＳＩＣ中に常駐し得る。ＡＳＩＣはユーザ端末中に常駐し得る。代替として、プロセッサおよび記憶媒体は、ユーザ端末中に個別構成要素として常駐し得る。
【００４９】
[0055]  １つまたは複数の例示的な実装形態では、説明した機能は、ハードウェア、有形媒体上で実施されるソフトウェアまたはファームウェア、あるいはそれらの任意の組合せで実装され得る。ソフトウェアで実装される場合、機能は、１つまたは複数の命令またはコードとして、コンピュータ可読媒体上に記憶されるか、あるいはコンピュータ可読媒体を介して送信され得る。コンピュータ可読媒体は、ある場所から別の場所へのコンピュータプログラムの転送を可能にする任意の媒体を含む、コンピュータ記憶媒体と通信媒体の両方を含む。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭまたは他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされ得る、任意の他の媒体を備えることができる。さらに、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）、およびＢｌｕ−Ｒａｙ（登録商標）ディスク（disc）を含み、ここで、ディスク（disk）は、通常、データを磁気的に再生し、ディスク（disc）は、データをレーザーで光学的に再生する。上記の組合せもコンピュータ可読媒体の範囲内に含まれるべきである。
【００５０】
[0056]  開示した実施形態についての以上の説明は、当業者が本開示を作成または使用することができるように与えたものである。これらの実装形態への様々な変更は当業者には容易に明らかになり、本明細書で定義した一般原理は、本開示の趣旨または範囲から逸脱することなく他の実装形態に適用され得る。したがって、本開示は、本明細書で示した実装形態に限定されるものではなく、本明細書で開示した原理および新規の特徴に一致する最も広い範囲を与られるべきである。
以下に、本願出願の当初の特許請求の範囲に記載された発明を付記する。
［Ｃ１］
少なくとも１次受信機チェーンとダイバーシティ受信機チェーンとを備える受信機を有するワイヤレス通信デバイスにおいて干渉消去（ＩＣ）を実行する方法であって、前記方法は、
前記受信機上で送信信号の干渉レベルを決定することと、
前記干渉レベルが所定の範囲内にあるかどうかを決定することと、
前記干渉レベルが所定の範囲内にある場合、第１の動作モードを選択することと、
前記干渉レベルが前記所定の範囲内にない場合、第２の動作モードを選択することと
を備え、
ここにおいて、前記第１のモードが、
前記１次受信機チェーンにおいて、前記送信信号に対応する第１の信号を受信することと、
前記ダイバーシティ受信機チェーンにおいて、ＩＣ回路に与えるための前記送信信号に対応する第２の信号を受信することと、
前記ＩＣ回路において、前記第２の信号に基づいて出力信号を生成することと、
前記出力信号と前記第１の信号とに基づいて消去信号を生成することと
を備え、
ここにおいて、前記第２のモードが、
前記１次受信機チェーンにおいて、前記送信信号に対応する第１の信号を受信することと、
前記１次受信機チェーンを介して前記第１の信号を処理することと、
前記ダイバーシティ受信機チェーンにおいて、前記送信信号に対応する第２の信号を受信することと、
前記ダイバーシティ受信機チェーンを介して前記第２の信号を処理することと
を備える、方法。
［Ｃ２］
消去信号が前記第２のモードにおいて生成されない、Ｃ１に記載の方法。
［Ｃ３］
前記送信信号が異なるワイヤレス通信デバイスの送信機から送信される、Ｃ１に記載の方法。
［Ｃ４］
前記送信信号が前記ワイヤレス通信デバイスの送信機から送信される、Ｃ１に記載の方法。
［Ｃ５］
前記干渉レベルが、信号対干渉（ＳＩＲ）レベルおよび干渉対雑音（ＩＮＲ）レベルのうちの少なくとも１つを備える、Ｃ１に記載の方法。
［Ｃ６］
前記方法が、
前記送信信号を送信する送信機と前記受信機との間の共存問題を検出することをさらに備える、Ｃ１に記載の方法。
［Ｃ７］
第１の共存問題が第１の所定の範囲に対応し、
第２の共存問題が第２の所定の範囲に対応する、Ｃ６に記載の方法。
［Ｃ８］
前記所定の範囲が前記共存問題に基づく、Ｃ６に記載の方法。
［Ｃ９］
共存問題を前記検出することが、前記干渉レベルをあらかじめ定義されたテーブルと比較することを備える、Ｃ６に記載の方法。
［Ｃ１０］
前記共存問題が検出されない場合、前記方法が実行されない、Ｃ６に記載の方法。
［Ｃ１１］
前記ＩＣ回路が適応フィルタを備える、Ｃ１に記載の方法。
［Ｃ１２］
前記適応フィルタが最小２乗平均（ＬＭＳ）適応フィルタを備える、Ｃ１１に記載の方法。
［Ｃ１３］
前記ＬＭＳ適応フィルタが、アナログ制御アナログＬＭＳ適応フィルタおよびデジタル制御アナログＬＭＳ適応フィルタのうちの少なくとも１つを備える、Ｃ１２に記載の方法。
［Ｃ１４］
前記１次受信機チェーンが１次フィルタを備え、前記ダイバーシティ受信機チェーンがダイバーシティフィルタを備える、Ｃ１に記載の方法。
［Ｃ１５］
前記１次フィルタと前記ダイバーシティフィルタとが同等のフィルタ処理特性を有する、Ｃ１４に記載の方法。
［Ｃ１６］
前記１次フィルタおよび前記ダイバーシティフィルタの各々が、帯域フィルタ、デュプレクサ、およびノッチフィルタのうちの少なくとも１つを備える、Ｃ１４に記載の方法。
［Ｃ１７］
少なくとも１次受信機チェーンとダイバーシティ受信機チェーンとを備える受信機を有するワイヤレス通信デバイスにおいて干渉消去（ＩＣ）を実行するための装置であって、前記装置が、
前記受信機上で送信信号の干渉レベルを決定するように構成されたプロセッサと、前記プロセッサは、前記干渉レベルが所定の範囲内にあるかどうかを決定するように構成され、前記プロセッサは、前記干渉レベルが所定の範囲内にある場合、第１の動作モードを選択するように構成され、前記プロセッサは、前記干渉レベルが前記所定の範囲内にない場合、第２の動作モードを選択するように構成された、
ＩＣ回路と、ここにおいて、前記動作の前記第１のモードにおいて、
前記ＩＣ回路が、前記ダイバーシティ受信機チェーンにおいて受信された第２の信号に基づいて出力信号を生成するように構成され、前記第２の信号が前記送信信号に対応し、
前記ＩＣが、前記出力信号と前記１次受信機チェーンにおいて受信された第１の信号とに基づいて消去信号を生成するように構成され、前記第１の信号が前記送信信号に対応する、を備える、装置。
［Ｃ１８］
少なくとも１次受信機チェーンとダイバーシティ受信機チェーンとを備える受信機を有するワイヤレス通信デバイスにおいて干渉消去（ＩＣ）を実行する方法であって、前記方法は、
前記受信機上で送信信号の干渉レベルを決定することと、
前記干渉レベルが所定の範囲内にあるかどうかを決定することと、
各々の前記干渉レベルに基づいて前記１次受信機チェーンおよび前記ダイバーシティ受信機チェーンのうちの１つを選択することと、
前記干渉レベルが所定の範囲内にある場合、第１の動作モードを選択することと、
前記干渉レベルが前記所定の範囲内にない場合、第２の動作モードを選択することと
を備え、
ここにおいて、前記第１のモードが、
前記選択された受信機チェーンにおいて、前記送信信号に対応する第１の信号を受信することと、
他の受信機チェーンにおいて、ＩＣ回路に与えるための前記送信信号に対応する第２の信号を受信することと、
前記ＩＣ回路において、前記第２の信号に基づいて出力信号を生成することと、
前記出力信号と前記第１の信号とに基づいて消去信号を生成することと
を備え、
ここにおいて、前記第２のモードが、
前記選択された受信機チェーンにおいて、前記送信信号に対応する第１の信号を受信することと、
前記選択された受信機チェーンを介して前記第１の信号を処理することと、
他の受信機チェーンにおいて、前記送信信号に対応する第２の信号を受信することと、
前記他の受信機チェーンを介して前記第２の信号を処理することと
を備える、方法。
［Ｃ１９］
前記１次受信機チェーン上の前記干渉レベルが前記ダイバーシティ受信機チェーン上の前記干渉レベルよりも大きい場合、前記１次受信機チェーンが選択される、Ｃ１８に記載の方法。
［Ｃ２０］
前記ダイバーシティ受信機チェーン上の前記干渉レベルが前記１次受信機チェーン上の前記干渉レベルよりも大きい場合、前記ダイバーシティ受信機チェーンが選択される、Ｃ１８に記載の方法。
【図１】
0006449307.tif 000002
【図２】
0006449307.tif 000003
【図３Ａ】
0006449307.tif 000004
【図３Ｂ】
0006449307.tif 000005
【図３Ｃ】
0006449307.tif 000006
【図４Ａ】
0006449307.tif 000007
【図４Ｂ】
0006449307.tif 000008
【図５】
0006449307.tif 000009